(57)【特許請求の範囲】
【請求項１】
１の方向に配設された複数のゲートラインと、前記各ゲートラインと交差する他の方向に配設されたデータラインと、前記各ゲートラインと前記データラインとの各交点近傍に配設された複数の表示画素と、を有する表示画面を有し、前記各ゲートラインを走査するとともに、前記データラインを介して前記各ゲートラインに対応する前記表示画素毎に表示信号電圧を供給するノーマリブラック型のアクティブマトリクス型液晶表示装置において、
前記各画素は、スイッチング素子を介して前記データラインに接続された画素電極と、該画素電極に対向する共通電極と、を有し、
各フレームを互いに等しい長さの時間を有する後半の第１のサブフレーム期間と前半の第２のサブフレーム期間とに分割し、前記第１のサブフレーム期間に前記各ゲートラインの走査を前記表示画面の上部から下部に向かって実行し、前記第２のサブフレーム期間に前記各ゲートラインの走査を停止するゲートライン駆動手段と、
前記第１のサブフレーム期間に前記データラインへ前記表示信号電圧を供給してフレーム反転駆動を行うデータライン駆動手段と、
前記データライン駆動手段が前記第１のサブフレーム期間に供給する一連の前記表示信号電圧の振幅形状に対して反転した振幅形状を有する第１補完電圧値、または、前記データライン駆動手段が前記第２のサブフレーム期間に供給する一連の前記表示信号電圧の振幅形状に対して一致する振幅形状を有する第２補完電圧値を前記データラインに対応させて導出する補完電圧値導出手段と、
フレーム期間毎に信号レベルが交互に変化する共通信号電圧を生成して前記共通電極に供給する共通電圧発生手段と、を備え、
前記補完電圧値導出手段は、前記表示画面の上部から第１のゲートラインに対応する領域の間に情報を表示し、該第１のゲートラインより後に前記ゲートライン駆動手段により走査される領域を一定の中間階調にするとき、前記第１補完電圧値を導出し、前記データライン駆動手段は前記第１補完電圧値を前記第２のサブフレーム期間に前記データラインへ供給し、
前記補完電圧値導出手段は、前記表示画面の下部から第２のゲートラインに対応する領域の間に情報を表示し、該第２のゲートラインより前に前記ゲートライン駆動手段により走査される領域を一定の中間階調にするとき、前記第２補完電圧値を導出し、前記データライン駆動手段は前記第２補完電圧値を前記２のサブフレーム期間に前記データラインへ供給することを特徴とするアクティブマトリクス型液晶表示装置。
【請求項２】
前記補完電圧値導出手段は、前記第２のサブフレーム期間に供給される前記表示信号電圧に前記第１補完電圧値を加えた値が前記表示信号電圧の最大の階調レベルに対応する電圧値となるように、前記第１補完電圧値を導出することを特徴とする請求項１に記載のアクティブマトリクス型液晶表示装置。
【請求項３】
１の方向に配設された複数のゲートラインと、前記各ゲートラインと交差する他の方向に配設されたデータラインと、前記各ゲートラインと前記データラインとの各交点近傍に配設された複数の表示画素とを有する表示画面を有し、前記各ゲートラインを走査するとともに、前記データラインを介して前記各ゲートラインに対応する前記表示画素毎に表示信号電圧を供給するノーマリブラック型のアクティブマトリクス型液晶表示装置において、
前記各画素は、スイッチング素子を介して前記データラインに接続された画素電極と、該画素電極に対向する共通電極と、を有し、
各フレームを互いに等しい長さの時間を有する前半の第１のサブフレーム期間と後半の第２のサブフレーム期間とに分割し、前記第１のサブフレーム期間に前記各ゲートラインの走査を前記表示画面の上部から下部に向かって実行し、前記第２のサブフレーム期間に前記各ゲートラインの走査を停止するゲートライン駆動手段と、
前記第１のサブフレーム期間に前記データラインへ前記表示信号電圧を供給してフレーム反転駆動を行うデータライン駆動手段と、
前記データライン駆動手段が前記第１のサブフレーム期間に供給する一連の前記表示信号電圧の振幅形状に対して、反転した振幅形状を有する第１補完電圧値、または、前記データライン駆動手段が前記第１のサブフレーム期間に供給する一連の前記表示信号電圧の変遷と一致する振幅形状を有する第２補完電圧値を前記データラインに対応させて導出する補完電圧値導出手段と、
前記第１のサブフレーム期間と前記第２のサブフレーム期間との切り換わりのタイミング毎に信号レベルが交互に変化する共通信号電圧を生成して前記共通電極に供給する共通電圧発生手段と、を備え、
前記補完電圧値導出手段は、前記表示画面の上部から第１のゲートラインに対応する領域の間に情報を表示し、該第１のゲートラインより後に前記ゲートライン駆動手段により走査される領域を一定の中間階調にするとき、前記第２補完電圧値を導出し、前記データライン駆動手段は前記第２補完電圧値を前記第２のサブフレーム期間に前記データラインへ供給し、
前記補完電圧値導出手段は、前記表示画面の下部から第２のゲートラインに対応する領域の間に情報を表示し、該第２のゲートラインより前に前記ゲートライン駆動手段により走査される領域を一定の中間階調にするとき、前記第１補完電圧値を導出し、前記データライン駆動手段は前記第１補完電圧値を前記第２のサブフレーム期間に前記データラインへ供給することを特徴とするアクティブマトリクス型液晶表示装置。
【請求項４】
前記補完電圧値導出手段は、前記第１のサブフレーム期間に前記データラインへ供給される前記表示信号電圧に前記第１補完電圧値を加えた値が前記表示信号電圧の最大の階調レベルに対応する電圧値となるように、前記第１の補完電圧値を導出することを特徴とする請求項３に記載のアクティブマトリクス型液晶表示装置。
【発明の詳細な説明】
【技術分野】
【０００１】
本発明は、アクティブマトリクス型液晶表示装置に関する。
【背景技術】
【０００２】
液晶表示装置に用いられるドットマトリクス方式の表示パネルとして、単純マトリクス方式の表示パネルとアクティブマトリクス方式の表示パネルとが知られている。このうち、アクティブマトリクス方式の表示パネルは、表示パネル上に複数のゲートラインと複数のデータラインとがそれぞれ直交するように配置され、これらゲートラインとデータラインとの交点近傍には薄膜トランジスタ（Thin Film Transistor：以下、ＴＦＴと記す）を介して画素電極が配置されている。また、画素電極に対向するように共通電極が配置され、画素電極と共通電極との間に液晶を充填することで表示画素を構成している。そして、ゲートラインを介して入力された走査信号電圧によって選択状態とされた表示画素にデータラインから表示信号電圧を印加する。また、共通電極には共通信号電圧を印加する。このとき、表示画素を構成する液晶には表示信号電圧と共通信号電圧との差に相当する電圧が印加され、これによって、液晶の配向状態を変化させて表示を行うようにしている。
【０００３】
ここで、長寿命化等の理由で、液晶の駆動には交流駆動が必須である。この交流駆動の手法として、例えば図１９に示すような、液晶に印加される電圧Ｖｌｃｄの極性をフレーム毎に反転させるフレーム反転駆動が知られている。
【０００４】
アクティブマトリクス方式の表示パネルでは、当該表示画素に対応するゲートラインが非選択期間においても、当該表示画素に対応するデータラインでの表示信号電圧が他のゲートラインに対応する表示画素で必要となる表示信号電圧に応じて変動する。フレーム反転駆動の場合、このようにデータラインで表示信号電圧が変動すると当該表示画素の画素電極とそれに対応するデータラインとの間に生じる容量カップリング（Ｃｄｓ）の影響による表示画素の電位変化が、データラインに沿った方向へのクロストークとして表示に現れてしまい、表示品位が劣化するという問題があった。
【０００５】
例えば、電圧印加時に白を表示し電圧無印加時に黒を表示するノーマリブラックモードとし、画面最上部から当該フレームでのゲートラインの走査を開始するとともに（画面最下部での走査から画面最上部での走査までの間に印加電圧の極性を変化させるとともに）画面最上部のゲートラインから画面最下部のゲートラインに向かって順次ゲートラインを選択する場合、図２０（ａ）に示すように、グレー表示（中間階調レベルでの表示）の背景領域２００に対して黒ウインド２０１を表示しようとしたときに、図２０（ｂ）に示すように、黒ウインド２０１に対応するゲートラインを走査中に、黒ウインド２０１の上部側の背景領域２００ａでは、本来の中間階調よりも黒寄りになる縦クロストークが発生するとともに、黒ウインド２０１の下部側の背景領域２００ａでは、本来の中間階調よりも白寄りになる縦クロストークが発生する。このため、図２１（ａ）に示すように、画面の上部に情報を表示するような場合には、画面全体に黒い縦スジが視認されてしまうとともに、図２１（ｂ）に示すように、画面の下部に情報を表示するような場合には、画面全体に白い縦スジが視認されてしまう。
【０００６】
そこで、特許文献１では、各フレーム間での画像データに基づいて当該フレームにおける画像データを補正することによってクロストークの発生を低減することが行われている。つまり、第Ｌ行を選択して次に第Ｌ行を選択するまでの間に第Ｌ行と同極性で駆動される各行の画像データから、第Ｌ行の画像データの値を減算し、減算した後の、第Ｌ行と同極性で駆動される各行の画像データの和（Ａとする）を求める。また、第Ｌ行を選択して次に第Ｌ行を選択するまでの間に第Ｌ行と異なる極性で駆動される各行の画像データから、第Ｌ行の画像データの値を減算し、減算した後の、第Ｌ行と異なる極性で駆動される各行の画像データの和（Ｂとする）を求める。そして、Ａ，Ｂを用いて第Ｌ行の画像データを補正して表示を行う。
【０００７】
【特許文献１】特開２００５−７７５０８
【発明の開示】
【発明が解決しようとする課題】
【０００８】
しかし上述のような従来技術では、行毎に画像データを補正するための演算式が異なるため、画像データを補正するための演算が複雑になるとともにその演算量が膨大になり、制御部における演算のための負荷が大きくなることが問題となっていた。
【０００９】
本発明は、上記の事情に鑑みてなされたもので、演算のための負荷を軽減させながらも、フレーム反転駆動においてデータラインに沿った方向のクロストークが視認され難い表示を行うことができるアクティブマトリクス型液晶表示装置を提供することを目的とする。
【課題を解決するための手段】
【００１０】
上記の目的を達成するために、請求項１に記載のアクティブマトリックス型液晶射表示装置は、１の方向に配設された複数のゲートラインと、前記各ゲートラインと交差する他の方向に配設されたデータラインと、前記各ゲートラインと前記データラインとの各交点近傍に配設された複数の表示画素と、を有する表示画面を有し、前記各ゲートラインを走査するとともに、前記データラインを介して前記各ゲートラインに対応する前記表示画素毎に表示信号電圧を供給するノーマリブラック型のアクティブマトリクス型液晶表示装置において、前記各画素は、スイッチング素子を介して前記データラインに接続された画素電極と、該画素電極に対向する共通電極と、を有し、各フレームを互いに等しい長さの時間を有する後半の第１のサブフレーム期間と前半の第２のサブフレーム期間とに分割し、前記第１のサブフレーム期間に前記各ゲートラインの走査を前記表示画面の上部から下部に向かって実行し、前記第２のサブフレーム期間に前記各ゲートラインの走査を停止するゲートライン駆動手段と、前記第１のサブフレーム期間に前記データラインへ前記表示信号電圧を供給してフレーム反転駆動を行うデータライン駆動手段と、前記データライン駆動手段が前記第１のサブフレーム期間に供給する一連の前記表示信号電圧の振幅形状に対して反転した振幅形状を有する第１補完電圧値、または、前記データライン駆動手段が前記第２のサブフレーム期間に供給する一連の前記表示信号電圧の振幅形状に対して一致する振幅形状を有する第２補完電圧値を前記データラインに対応させて導出する補完電圧値導出手段と、フレーム期間毎に信号レベルが交互に変化する共通信号電圧を生成して前記共通電極に供給する共通電圧発生手段と、を備え、前記補完電圧値導出手段は、前記表示画面の上部から第１のゲートラインに対応する領域の間に情報を表示し、該第１のゲートラインより後に前記ゲートライン駆動手段により走査される領域を一定の中間階調にするとき、前記第１補完電圧値を導出し、前記データライン駆動手段は前記第１補完電圧値を前記第２のサブフレーム期間に前記データラインへ供給し、前記補完電圧値導出手段は、前記表示画面の下部から第２のゲートラインに対応する領域の間に情報を表示し、該第２のゲートラインより前に前記ゲートライン駆動手段により走査される領域を一定の中間階調にするとき、前記第２補完電圧値を導出し、前記データライン駆動手段は前記第２補完電圧値を前記２のサブフレーム期間に前記データラインへ供給することを特徴とする。
【００１１】
また、請求項２に記載のアクティブマトリックス型液晶射表示装置は、請求項１に記載のアクティブマトリックス型液晶射表示装置において、前記補完電圧値導出手段は、前記第２のサブフレーム期間に供給される前記表示信号電圧に前記第１補完電圧値を加えた値が前記表示信号電圧の最大の階調レベルに対応する電圧値となるように、前記第１補完電圧値を導出することを特徴とする。
【００１２】
また、請求項３に記載のアクティブマトリックス型液晶射表示装置は、１の方向に配設された複数のゲートラインと、前記各ゲートラインと交差する他の方向に配設されたデータラインと、前記各ゲートラインと前記データラインとの各交点近傍に配設された複数の表示画素とを有する表示画面を有し、前記各ゲートラインを走査するとともに、前記データラインを介して前記各ゲートラインに対応する前記表示画素毎に表示信号電圧を供給するノーマリブラック型のアクティブマトリクス型液晶表示装置において、前記各画素は、スイッチング素子を介して前記データラインに接続された画素電極と、該画素電極に対向する共通電極と、を有し、各フレームを互いに等しい長さの時間を有する前半の第１のサブフレーム期間と後半の第２のサブフレーム期間とに分割し、前記第１のサブフレーム期間に前記各ゲートラインの走査を前記表示画面の上部から下部に向かって実行し、前記第２のサブフレーム期間に前記各ゲートラインの走査を停止するゲートライン駆動手段と、前記第１のサブフレーム期間に前記データラインへ前記表示信号電圧を供給してフレーム反転駆動を行うデータライン駆動手段と、前記データライン駆動手段が前記第１のサブフレーム期間に供給する一連の前記表示信号電圧の振幅形状に対して、反転した振幅形状を有する第１補完電圧値、または、前記データライン駆動手段が前記第１のサブフレーム期間に供給する一連の前記表示信号電圧の変遷と一致する振幅形状を有する第２補完電圧値を前記データラインに対応させて導出する補完電圧値導出手段と、前記第１のサブフレーム期間と前記第２のサブフレーム期間との切り換わりのタイミング毎に信号レベルが交互に変化する共通信号電圧を生成して前記共通電極に供給する共通電圧発生手段と、を備え、前記補完電圧値導出手段は、前記表示画面の上部から第１のゲートラインに対応する領域の間に情報を表示し、該第１のゲートラインより後に前記ゲートライン駆動手段により走査される領域を一定の中間階調にするとき、前記第２補完電圧値を導出し、前記データライン駆動手段は前記第２補完電圧値を前記第２のサブフレーム期間に前記データラインへ供給し、前記補完電圧値導出手段は、前記表示画面の下部から第２のゲートラインに対応する領域の間に情報を表示し、該第２のゲートラインより前に前記ゲートライン駆動手段により走査される領域を一定の中間階調にするとき、前記第１補完電圧値を導出し、前記データライン駆動手段は前記第１補完電圧値を前記第２のサブフレーム期間に前記データラインへ供給することを特徴とする。
【００１５】
また、請求項４に記載のアクティブマトリクス型液晶表示装置は、請求項３に記載のアクティブマトリクス型液晶表示装置において、前記補完電圧値導出手段は、前記第１のサブフレーム期間に前記データラインへ供給される前記表示信号電圧に前記第１補完電圧値を加えた値が前記表示信号電圧の最大の階調レベルに対応する電圧値となるように、前記第１の補完電圧値を導出することを特徴とする。
【発明の効果】
【００１８】
本発明によれば、演算のための負荷を軽減させながらも、フレーム反転駆動においてデータラインに沿った方向のクロストークが視認され難い表示を行うことができる。
【発明を実施するための最良の形態】
【００１９】
（第一の実施の形態）
以下、本発明のアクティブマトリクス型液晶表示装置をデジタルカメラに適用した第一の実施の形態について説明する。デジタルカメラ１の外観構成は、図１（Ａ）、図１（Ｂ）に示すように、略矩形の薄板状ボディの前面に、撮影レンズ２、セルフタイマランプ３、光学ファインダ窓４、マイクロホン部５、ストロボ発光部６、及びラバーグリップ７等が配設され、上面には電源のオン／オフ操作のための電源キー８や撮影タイミングを決定するためのシャッタキー９などが配設されている。
【００２０】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配している。モードスイッチ１０は、例えばスライドキースイッチにより構成され、基本モードである記録モード「Ｒ」と再生モード「Ｐ」とを切換える。メニューキー１２は、各種メニュー項目等を選択させる際に操作する。十字キー１３は、上下左右各方向へのカーソル移動用のキーが一体に形成されたものであり、表示部１７に表示されるメニュー項目等を移動させる際に操作する。セットキー１４は、十字キー１３の中心位置に配置され、その時点で選択されているメニュー項目内容等を設定するために操作する。ストロボチャージランプ１６は、光学ファインダ１５に近接して配設されたＬＥＤランプでなり、当該デジタルカメラ１のユーザが光学ファインダ１５を覗いている場合と表示部１７を見ている場合のいずれであってもストロボのチャージ状態等をユーザに視認させることが可能となっている。
【００２１】
表示部１７は、アクティブマトリックス型の液晶表示装置で構成されるもので、記録モード時には電子ファインダとしてスルー画像のモニタ表示を行なう一方で、再生モード時には選択した画像等を再生表示する。また、表示部１７は、メニューキー１２や十字キー１３、セットキー１４等の操作により所定のメニューが選択された場合や、予め定められた所定の時間以上に亘って何れのキー操作も行われず待機モードへ移行したような場合には、例えば、図２（ａ）や図２（ｂ）に示すような、所定の情報表示画面を表示する。即ち、画面の一部に記録媒体の記録残容量やバッテリー残量等が表示されたラスター画面を表示する。ここでは、情報に対応する表示画素の階調レベルが最大階調レベル（液晶に印加される電圧が最大電圧）で、その背景に対応する表示画素の階調レベルが中間階調レベルになっているものとする。また、記録媒体の残容量等の情報表示箇所２５０は、別途メニューの選択により画面上部や画面下部への表示変更が可能なように構成されている。
【００２２】
以下、表示部１７としてのアクティブマトリクス型液晶表示装置について詳述する。表示部１７は、図３に示すように、映像が顕在化して表示される表示パネル１１０と、表示パネル１１０のゲートラインを走査するための走査ドライバ１２０と、表示パネル１１０のデータラインに表示信号電圧を供給するための信号ドライバ１３０と、表示パネル１１０の共通電極に所定の電圧を印加するための共通電圧発生回路１４０と、表示パネル１１０に所望の映像が表示されるように走査ドライバ１２０や信号ドライバ１３０、通電圧発生回路１４０を駆動制御する制御部１５０と、供給される電源を駆動に必要な電圧に調整して各部に供給する電源調整回路１６０等を有している。そして、大凡表示パネル１１０に対応する領域がデジタルカメラ１の外部から視認可能なようにデジタルカメラ１に搭載され、当該表示パネル１１０に映像が表示される。
【００２３】
表示パネル１１０は、対向配置され、シール材１１５により接着された２枚の基板間１１６、１１７に液晶が挟持された構成となっている。そして、一方の基板１１６に、行方向に延伸配設された複数のゲートライン（例えばｎ本のゲートライン）と、列方向に延伸配設された複数のデータライン（例えばｍ本のデータライン）とを備え、ゲートラインとデータラインとの各交点近傍に図４に示す表示画素が設けられて構成されている。ここで図４は、表示パネル１１０に設けられる複数の表示画素の内の１つの表示画素に対応する等価回路を示す図である。
【００２４】
図４に示すゲートラインＧ（ｊ）には薄膜トランジスタ（ＴＦＴ）１１１のゲート電極が接続され、データラインＳ（ｉ）にはＴＦＴ１１１のソース電極が接続されている。更に、ＴＦＴ１１１のドレイン電極には画素電極が接続されている。そして、画素電極と対向するように、他方の基板１１７に共通電極１１８が配され、画素電極と共通電極１１８との間に液晶が充填されている。さらに、このようにして構成される液晶容量Ｃｌｃｄと並列になるように蓄積容量Ｃｃｓが接続されている。このような構成において、画素電極と共通電極との間に電圧が印加されると、この電圧に応じて画素電極と共通電極との間に充填された液晶の配向状態が変化して液晶層中における光の透過率が変化する。これにより、図４に示す表示画素の背面に配置された図示しない光源（バックライト）からの光の透過状態が変化して映像表示が行われる。なお、図４には画素電極とデータライン間に発生する寄生容量Ｃｄｓも示している。ここで、ｉ＝１，２，３，・・・，ｍ。ｊ＝１，２，３，・・・，ｎ。
【００２５】
走査ドライバ１２０には、図４のゲートラインＧ（ｊ）が接続され、制御部１５０から出力される垂直制御信号Ｖｓに基づいて各フレームにおけるゲートラインＧ（ｊ）の走査を開始するとともに、制御部１５０から出力される水平制御信号Ｈｓに基づいて各ゲートラインＧ（ｊ）を個別に選択する。
【００２６】
以下、説明を簡略化するためにゲートラインの本数ｎを８本として具体的に説明するが、この本数に限定するものではない。走査ドライバ１２０は、図５または図６に示すように、制御部１５０から出力される垂直制御信号Ｖｓが入力されると、当該フレームにおけるゲートラインＧ（ｊ）の走査を開始する。なおこのとき走査ドライバ１２０は、制御部１５０から出力される走査許容信号Ａｓがハイレベルで、走査禁止信号Ｐｓがローレベルになっていることを条件として、当該フレームにおけるゲートラインＧ（ｊ）の走査を開始する。つまり、垂直制御信号Ｖｓが入力された場合に、走査許容信号Ａｓがハイレベルと異なるようなとき、または、走査禁止信号Ｐｓがローレベルと異なるようなときは、走査許容信号Ａｓがハイレベルで走査禁止信号Ｐｓがローレベルになるのを待ってから当該フレームにおけるゲートラインＧ（ｊ）の走査を開始する（例えばタイミングＴ１ａに対してタイミングＴ２ａや、タイミングＴ３ａに対してタイミングＴ４ａ）。
【００２７】
そして、走査許容信号Ａｓがハイレベルで走査禁止信号Ｐｓがローレベルになっている間は、走査信号を所定の期間だけローレベルからハイレベルに切り換えて出力するといったゲートラインの選択を、水平制御信号Ｈｓに同期して前段側のゲートラインＧ（１）から後段側のゲートラインＧ（８）に向かって順次ゲートラインＧ（ｊ）毎に行う。これによって、各ゲートラインＧ（ｊ）に対応するＴＦＴ１１１が所定の期間だけ順次オン状態となり、このときに各表示画素に対応するデータラインＳ（ｉ）に供給されている表示信号電圧が表示画素の画素電極に書き込まれる。なお、ゲートラインＧ（１）側が表示画面の上部側に対応し、ゲートラインＧ（８）側が表示画面の下部側に対応している。
【００２８】
信号ドライバ１３０には、図４のデータラインＳ（ｉ）が接続され、制御部１５０から出力される水平制御信号Ｈｓに基づいて、Ｒ（赤）、Ｇ（緑）、Ｂ（青）などの各色成分の入力階調信号Ｋｓｈを１行分の表示画素単位（ゲートライン単位）で取り込み、この取り込んだ入力階調信号Ｋｓｈに対応する表示信号電圧Ｄｓを生成して各対応するデータラインＳ（ｉ）に供給する。また、フレームの開始とともに制御部１５０から入力される極性反転制御信号Ｐｏｌに応じて表示信号電圧Ｄｓの信号レベルを所定の中心電圧を中心として反転させる。
【００２９】
共通電圧発生回路１４０は、制御部１５０から入力される極性反転制御信号Ｐｏｌに応じて、電源調整回路１６０によって調整された共通信号電圧ＶｃｏｍＨ、ＶｃｏｍＬの何れか一方を選択し、矩形波としての共通信号Ｖｃを表示画素の共通電極に供給する。つまり、共通電圧発生回路１４０は、当該フレームの開始タイミングで共通信号Ｖｃの電圧値を切り換える。
【００３０】
制御部１５０は、階調信号Ｋｓｏなどからなる映像信号ＶＤが入力されてくると、この階調信号Ｋｓｏに基づいた映像が表示パネルに表示されるように、上述したような各種制御信号を生成して各部に出力するもので、このような各種制御信号を生成する信号生成部１５１と、入力されてくる階調信号Ｋｓｏを少なくとも１画面分の表示画素に対応するだけ蓄積可能な映像メモリ１５２と、映像メモリ１５２に蓄積された１画面分の階調信号Ｋｓｏに基づいて所定の補完電圧値を演算導出する演算部１５３を有している。
【００３１】
信号生成部１５１は、図５または図７に示すように、走査ドライバ１２０や信号ドライバ１３０、共通電圧発生回路１４０が同期して１画面分の映像を表示するための期間であるフレームを規定するとともに、当該フレームを開始するための垂直同期信号Ｖｓ及び極性反転制御信号Ｐｏｌを生成して出力する。また、信号生成部１５１は、走査ドライバ１２０や信号ドライバ１３０が同期して各ゲートラインＧ（ｊ）に対応する表示画素毎に表示信号電圧Ｄｓを書き込むための水平同期信号Ｈｓ、走査許容信号Ａｓ及び走査禁止信号Ｐｓも生成して出力する。
【００３２】
なお、信号生成部１５１は、走査許容信号Ａｓ及び走査禁止信号Ｐｓの出力によって、各フレームが、各ゲートラインＧ（ｊ）の走査が実行され各表示画素に表示信号電圧Ｄｓが書き込まれる第１のサブフレームとしての走査期間Ｓｔと、各ゲートラインＧ（ｊ）の走査が禁止され各表示画素に表示信号電圧Ｄｓが書き込まれることを禁止する第２のサブフレームとしての非走査期間Ｎｔとに時間分割されるように、そして、走査期間Ｓｔと非走査期間Ｎｔとが等しい長さの時間になるように走査ドライバ１２０及び信号ドライバ１３０を制御する。またこのとき、各フレームにおいては、走査期間Ｓｔに先立って非走査期間Ｎｔが得られるように各制御信号の出力タイミングが設定されている。
【００３３】
つまり、例えば入力されてくる映像信号ＶＤにおける１フレームが１６ｍｓのときには、当該フレームの最初の８ｍｓが非走査期間Ｎｔになるように、そして、次の８ｍｓが走査期間Ｓｔになるように、走査許容信号Ａｓ及び走査禁止信号Ｐｓを生成して出力する。
【００３４】
さらに、信号生成部１５１は、この８ｍｓの間に１画面分の表示画素に表示信号電圧Ｄｓを書き込むことが可能なように水平制御信号Ｈｓを生成して出力する。つまり、ゲートラインの本数ｎが８本であれば、各ゲートラインＧ（ｊ）に対応するＴＦＴのオン期間及びオフ期間が順に１ｍｓずつシフトして開始されるように水平制御信号Ｈｓを生成して出力する。この水平制御信号Ｈｓは、走査期間Ｓｔと非走査期間Ｎｔとにかかわらず継続して出力される。
【００３５】
ここで、制御部１５０は、走査期間Ｓｔには、水平制御信号Ｈｓに同期させて、映像メモリ１５２に蓄積された１画面分の表示画素に対応する階調信号Ｋｓｏを表示階調信号Ｋｓｈとして前段側のゲートラインＧ（ｊ）に対応する階調信号から順に、１行分の表示画素単位（ゲートライン単位）で信号ドライバ１３０へ出力する。一方、当該フレームでの走査期間Ｓｔに先立つように設定される非走査期間Ｎｔには、映像メモリ１５２に蓄積された１画面分の表示画素に対応する階調信号Ｋｓｏに基づいて演算部５３によって詳細は後述するように導出される補完電圧値に対応する入力階調信号Ｋｓｈを、水平制御信号Ｈｓに同期させて１行分の表示画素単位（ゲートライン単位）で信号ドライバ１３０へ出力する。そして、順次制御部１５０から出力される入力階調信号Ｋｓｈは、信号ドライバ１３０によって取り込まれ、入力階調信号Ｋｓｈに対応する表示信号電圧Ｄｓに変換されてそれぞれ対応するデータラインＳ（ｉ）に供給される。
【００３６】
演算部１５３は、信号ドライバ１３０によって非走査期間Ｎｔに各データラインＳ（ｉ）へ供給される表示信号電圧としての補完電圧値Ｄｓ（ｉ，ｊ，Ｎｔ）を導出するものであり、例えば図２（ｂ）に示すようなラスター画面上で画面の中央よりも上部に情報を表示するような際には、走査期間Ｓｔに信号ドライバ１３０がデータラインＳ（ｉ）に供給することとなる一連の表示信号電圧Ｄｓ（ｉ，ｊ，Ｓｔ）の変遷の振幅形状と、非走査期間Ｎｔに信号ドライバ１３０がデータラインＳ（ｉ）に供給することとなる一連の表示信号電圧Ｄｓ（ｉ，ｊ，Ｎｔ）の変遷の振幅形状とが一致するように、補完電圧値としての表示信号電圧Ｄｓ（ｉ，ｊ，Ｎｔ）を導出する。また、例えば図２（ａ）に示すようなラスター画面上で画面の中央よりも下部に情報を表示するような際には、走査期間Ｓｔに信号ドライバ１３０がデータラインＳ（ｉ）に供給することとなる一連の表示信号電圧Ｄｓ（ｉ，ｊ，Ｓｔ）の変遷の振幅形状に対して、非走査期間Ｎｔに信号ドライバ１３０がデータラインＳ（ｉ）に供給することとなる一連の表示信号電圧Ｄｓ（ｉ，ｊ，Ｎｔ）の変遷の振幅形状が反転するように、補完電圧値としての表示信号電圧Ｄｓ（ｉ，ｊ，Ｎｔ）を導出する。
【００３７】
以下、最初に図２（ｂ）に示すようなラスター画面上で画面の中央よりも下部に情報を表示するような場合における補完電圧値の導出について詳述し、次に図２（ａ）に示すようなラスター画面上で画面の中央よりも上部に情報を表示するような場合における補完電圧値の導出について詳述する。
【００３８】
なお、演算部１５３による補完電圧値の導出に先立って実施される表示内容の判定、つまり、例えば図２（ａ）に示すようなラスター画面上で画面の中央よりも上部に情報を表示するのか或いは例えば図２（ｂ）に示すようなラスター画面上で画面の中央よりも下部に情報を表示するのかの判定は、当該制御部１５０に、種々の画像解析技術により映像信号を解析することによって直接的に表示内容を判定する表示映像判定部を備え、当該表示映像判定部が実施する構成としてもよいし、また、ユーザにより選択される当該デジタルカメラ１のメニュー内容や当該デジタルカメラが設定する機能に対応して表示内容が予め設定されているような場合には、設定されたメニュー内容や機能に基づいて表示内容を判定する表示映像判定部を備え、当該表示映像判定部が実施する構成としてもよい。
【００３９】
またここでは、最大の階調レベルに対応する表示信号電圧が共通信号電圧ＶｃｏｍＨに対応して予め−ｘ［Ｖ］に設定されているとともに、共通信号電圧ＶｃｏｍＬに対応して予めｘ［Ｖ］に設定されているものとする。
【００４０】
以下、図２（ｂ）に示すようなラスター画面上で画面の中央よりも下部に情報を表示する場合について、次のような具体的な例に基づいて説明する。即ち、当該フレームでの走査期間ＳｔにデータラインＳ（ｉ）へ供給されることとなる一連の表示信号電圧ＤＳ（ｉ，ｊ，Ｓｔ）を、図５に示すように、共通信号電圧ＶｃｏｍＬに対応させて、ゲートラインＧ（７），Ｇ（８）の走査信号におけるハイレベル期間中ではｘ［Ｖ］としまたゲートラインＧ（１），Ｇ（２），Ｇ（３），Ｇ（４），Ｇ（５），Ｇ（６）の走査信号におけるハイレベル期間中ではｘ／２［Ｖ］とするともに、共通信号電圧ＶｃｏｍＨに対応させて、ゲートラインＧ（７），Ｇ（８）の走査信号におけるハイレベル期間中では−ｘ［Ｖ］としまたゲートラインＧ（１），Ｇ（２），Ｇ（３），Ｇ（４），Ｇ（５），Ｇ（６）の走査信号におけるハイレベル期間中では−ｘ／２［Ｖ］として説明する。
【００４１】
この場合、演算部１５３は、図５、図６（ａ）及び図６（ｂ）に示すように、非走査期間ＮｔでのデータラインＳ（ｉ）に供給される表示信号電圧Ｄｓ（ｉ，ｊ，Ｎｔ）が、共通信号電圧ＶｃｏｍＬに対応させて、非走査期間Ｎｔの開始タイミングＴ１ａを走査期間Ｓｔの開始タイミングＴ２ａに仮に一致させたときに、ゲートラインＧ（７），Ｇ（８）の走査信号におけるハイレベル期間中ではｘ［Ｖ］となるようにまたゲートラインＧ（１），Ｇ（２），Ｇ（３），Ｇ（４），Ｇ（５），Ｇ（６）の走査信号におけるハイレベル期間中ではｘ／２［Ｖ］となるように補完電圧値を導出するとともに、共通信号電圧ＶｃｏｍＨに対応させて、非走査期間Ｎｔの開始タイミングＴ３ａを走査期間Ｓｔの開始タイミングＴ４ａに仮に一致させたときに、ゲートラインＧ（７），Ｇ（８）の走査信号におけるハイレベル期間中では−ｘ［Ｖ］となるようにまたゲートラインＧ（１），Ｇ（２），Ｇ（３），Ｇ（４），Ｇ（５），Ｇ（６）の走査信号におけるハイレベル期間中では−ｘ／２［Ｖ］となるように補完電圧値を導出する。
【００４２】
つまり、演算部１５３は、（数１）に基づいて非走査期間ＮｔでのデータラインＳ（ｉ）に供給される表示信号電圧Ｄｓ（ｉ，ｊ，Ｎｔ）としての補完電圧値を導出することで、走査期間Ｓｔにおける表示信号電圧Ｄｓ（ｉ，ｊ，Ｓｔ）の変遷とそれに先立つ非走査期間Ｎｔにおける表示信号電圧Ｄｓ（ｉ，ｊ，Ｎｔ）の変遷とが一致するように補完電圧値を導出する。
【００４３】
（数１）
Ｄｓ（ｉ，ｊ，Ｎｔ）＝Ｄｓ（ｉ，ｊ，Ｓｔ）
【００４４】
なお、階調レベルとしての階調信号Ｋｓｏまたは入力階調信号Ｋｓｈと表示信号電圧との関係は、例えば図９（ａ）及び図９（ｂ）に示すようなルックアップデーブルが制御部１５０に予め記憶されていて、制御部１５０によって適宜変換可能なように構成されているものとする。
【００４５】
次に、図２（ａ）に示すようなラスター画面上で画面の中央よりも上部に情報を表示する場合について、次のような具体的な例に基づいて説明する。即ち、当該フレームでの走査期間ＳｔにデータラインＳ（ｉ）へ供給されることとなる一連の表示信号電圧を、図７に示すように、共通信号電圧ＶｃｏｍＬに対応させて、ゲートラインＧ（１），Ｇ（２）の走査信号におけるハイレベル期間中ではｘ［Ｖ］としまたゲートラインＧ（３），Ｇ（４），Ｇ（５），Ｇ（６），Ｇ（７），Ｇ（８）の走査信号におけるハイレベル期間中ではｘ／２［Ｖ］とするともに、共通信号電圧ＶｃｏｍＨに対応させて、ゲートラインＧ（１），Ｇ（２）の走査信号におけるハイレベル期間中では−ｘ［Ｖ］としまたゲートラインＧ（３），Ｇ（４），Ｇ（５），Ｇ（６），Ｇ（７），Ｇ（８）の走査信号におけるハイレベル期間中では−ｘ／２［Ｖ］として説明する。
【００４６】
この場合、演算部１５３は、図７、図８（ａ）及び図８（ｂ）に示すように、非走査期間ＮｔでのデータラインＳ（ｉ）に供給される表示信号電圧が、共通信号電圧ＶｃｏｍＬに対応させて、非走査期間Ｎｔの開始タイミングＴ１ｂを走査期間Ｓｔの開始タイミングＴ２ｂに仮に一致させたときに、ゲートラインＧ（１），Ｇ（２）の走査信号におけるハイレベル期間中では０［Ｖ］となるようにまたゲートラインＧ（３），Ｇ（４），Ｇ（５），Ｇ（６），Ｇ（７），Ｇ（８）の走査信号におけるハイレベル期間中ではｘ／２［Ｖ］となるように補完電圧値を導出するとともに、共通信号電圧ＶｃｏｍＨに対応させて、非走査期間Ｎｔの開始タイミングＴ３ｂを走査期間Ｓｔの開始タイミングＴ４ｂに仮に一致させたときに、ゲートラインＧ（１），Ｇ（２）の走査信号におけるハイレベル期間中では０［Ｖ］となるようにまたゲートラインＧ（３），Ｇ（４），Ｇ（５），Ｇ（６），Ｇ（７），Ｇ（８）の走査信号におけるハイレベル期間中では−ｘ／２［Ｖ］となるように補完電圧値を導出する。
【００４７】
つまり、演算部１５３は、（数２）に基づいて非走査期間ＮｔでのデータラインＳ（ｉ）に供給される表示信号電圧Ｄｓ（ｉ，ｊ，Ｎｔ）としての補完電圧値を導出することで、走査期間Ｓｔにおける表示信号電圧Ｄｓ（ｉ，ｊ，Ｓｔ）の変遷とそれに先立つ非走査期間Ｎｔにおける表示信号電圧Ｄｓ（ｉ，ｊ，Ｎｔ）の変遷とを互いの開始タイミングが一致するようにしてそれぞれを加えたときに、最大の階調レベルに対応する表示信号電圧ｘ［Ｖ］または−ｘ［Ｖ］で平準となる補完電圧値を導出する。
【００４８】
（数２）
Ｐｏｌ：ローレベルのとき
Ｄｓ（ｉ，ｊ，Ｎｔ）＝ｘ−Ｄｓ（ｉ，ｊ，Ｓｔ）
Ｐｏｌ：ハイレベルのとき
Ｄｓ（ｉ，ｊ，Ｎｔ）＝−ｘ＋Ｄｓ（ｉ，ｊ，Ｓｔ）
【００４９】
上述のようにして、演算部１５３によって表示すべき映像信号に基づいた補完電圧値が導出されると、制御部１５０は、この導出された補完電圧値に対応する各入力階調信号Ｋｓｈを水平制御信号Ｈｓに同期させて、非走査期間Ｎｔに１行分の表示画素単位（ゲートライン単位）で信号ドライバ１３０へ出力する。
【００５０】
そして、制御部１５０の上述のような制御により、信号ドライバ１３０は、図５や図７に示すような表示信号電圧ＤｓをデータラインＳ（ｉ）に供給することができる。
【００５１】
つまり、第一の実施の形態においては、フレーム毎に、各ゲートラインＧ（ｊ）の走査を実行する走査期間Ｓｔと各ゲートラインＧ（ｊ）の走査を停止する非走査期間Ｎｔを設定する。そして、図２（ｂ）に示すようなラスター画面上で画面の中央よりも下部に情報を表示するような場合は、走査期間ＳｔにデータラインＳ（ｉ）へ供給される一連の表示信号電圧の振幅形状に対して非走査期間ＮｔにデータラインＳ（ｉ）へ供給される一連の表示信号電圧の振幅形状が等しい形状となるように、非走査期間ＮｔにデータラインＳ（ｉ）へ表示信号電圧を供給している。また、図２（ａ）に示すようなラスター画面上で画面の中央よりも上部に情報を表示するような場合は、走査期間ＳｔにデータラインＳ（ｉ）へ供給される一連の表示信号電圧の振幅形状に対して非走査期間ＮｔにデータラインＳ（ｉ）へ供給される一連の表示信号電圧の振幅形状が反転した形状となるように、非走査期間ＮｔにデータラインＳ（ｉ）へ表示信号電圧を供給している。
【００５２】
図１０及び図１１は、上述したように当該表示部１７を駆動制御した場合の各表示画素に対応する液晶層に印加される電圧Ｖｌｃｄの時系列変化である。なお、説明を簡単化するために、データラインＳ（ｉ）に供給される電圧の極性反転に伴うＶｌｃｄの変動、及び、ゲートラインＧ（ｊ）と画素電極Ｐ（ｉ、ｊ）との間に発生する寄生容量に伴うＶｌｃｄの変動は省略している。また、対向電極の電位を基準に規格化してＶｌｃｄを示す。
【００５３】
図１０は、図２（ｂ）に示すようなラスター画面上で画面の中央よりも下部に情報を表示する場合に対応させて、図５に示したように走査期間Ｓｔにおける表示信号電圧Ｄｓ（ｉ，ｊ，Ｓｔ）の変遷とそれに先立つ非走査期間Ｎｔにおける表示信号電圧Ｄｓ（ｉ，ｊ，Ｎｔ）の変遷とが一致するように表示信号電圧をデータラインＳ（ｉ）に供給したときのＶｌｃｄの時系列変化である。ここでは、前段側から２段目のゲートラインＧ（２）と接続される画素電極Ｐ（ｉ，１）に対応するＶｌｃｄの時系列変化を一例として示しているが、各ゲートラインＧ（１），Ｇ（３），Ｇ（４），Ｇ（５），Ｇ（６）のそれぞれと接続される画素電極Ｐ（ｉ，１），Ｐ（ｉ，３），Ｐ（ｉ，４），Ｐ（ｉ，５），Ｐ（ｉ，６）に対応するＶｌｃｄも同様である。
【００５４】
図１０に示されるように、各フレームでは、データラインＳ（ｉ）に供給される電圧が当該表示画素に書き込まれた電圧から変動するのに伴って生じるＶｌｃｄの変動を、非走査期間Ｎｔと走査期間Ｓｔとの間で相殺することが可能となっている。即ち、走査期間Ｓｔにおいて発生するＶｌｃｄの変動“＋ΔＶ”を非走査期間Ｎｔにおいて発生するＶｌｃｄの変動“−ΔＶ”によって相殺することが可能となっている。このため、例えば電圧印加時に白を表示し電圧無印加時に黒を表示するノーマリブラックモードにおいては、走査期間Ｓｔで図１２（ａ）に示すように画面全体に表示される比較的黒い縦スジと、それに先立つ非走査期間Ｎｔで図１２（ｂ）に示すように画面全体に表示される比較的白い縦スジとにより、表示輝度が時間的に平均化され、縦スジを視認されにくくすることが可能になる。つまり、縦スジとしての、データラインＳ（ｉ）に沿った方向のクロストークを、視認されにくくすることが可能になる。
【００５５】
一方、図１１は、図２（ａ）に示すようなラスター画面上で画面の中央よりも上部に情報を表示する場合に対応させて、図６に示したように走査期間Ｓｔにおける表示信号電圧Ｄｓ（ｉ，ｊ，Ｓｔ）の変遷とそれに先立つ非走査期間Ｎｔにおける表示信号電圧Ｄｓ（ｉ，ｊ，Ｎｔ）の変遷とを互いの開始タイミングが一致するようにしてそれぞれを加えたときに、最大の階調レベルに対応する表示信号電圧ｘ［Ｖ］または−ｘ［Ｖ］で平準となるように表示信号電圧をデータラインＳ（ｉ）へ供給したときのＶｌｃｄの時系列変化である。ここでは、後段側から２段目（前段側から７段目）のゲートラインＧ（７）と接続される画素電極Ｐ（ｉ，７）に対応するＶｌｃｄの時系列変化を一例として示しているが、各ゲートラインＧ（３），Ｇ（４），Ｇ（５），Ｇ（６），Ｇ（８）のそれぞれと接続される画素電極Ｐ（ｉ，３），Ｐ（ｉ，４），Ｐ（ｉ，５），Ｐ（ｉ，６），Ｐ（ｉ，８）に対応するＶｌｃｄも同様である。
【００５６】
図１１に示されるように、この場合においても、各フレームでは、データラインＳ（ｉ）に供給される電圧が当該表示画素に書き込まれた電圧から変動するのに伴って生じるＶｌｃｄの変動を、非走査期間Ｎｔと走査期間Ｓｔとの間で相殺することが可能になっている。即ち、走査期間Ｓｔにおいて発生するＶｌｃｄの変動“−ΔＶ”を非走査期間Ｎｔにおいて発生するＶｌｃｄの変動“＋ΔＶ”によって相殺している。このため、例えば電圧印加時に白を表示し電圧無印加時に黒を表示するノーマリブラックモードにおいては、走査期間Ｓｔで図１３（ａ）に示すように画面全体に表示される比較的白い縦スジと、それに先立つ非走査期間Ｎｔで図１３（ｂ）に示すように画面全体に表示される比較的黒い縦スジとにより、表示輝度が時間的に平均化され、縦スジを視認されにくくすることが可能になる。つまり、縦スジとしての、データラインＳ（ｉ）に沿った方向のクロストークを、視認されにくくすることが可能になる。
【００５７】
そして、追加すべき表示信号電圧を（数１）や（数２）で示したような簡単な演算式で導出すればよいので、演算のための負荷を軽減させながらも、フレーム反転駆動においてデータラインに沿った方向のクロストークが視認され難い表示を行うことができる。
【００５８】
（第二の実施の形態）
上述の第一の実施の形態では、当該フレームの走査期間Ｓｔに先立って当該フレームに対応する非走査期間Ｎｔを設定する場合について説明したが、以下、当該フレームの走査期間Ｓｔに対応する非走査期間Ｎｔを当該フレームの走査期間Ｓｔの後に設定する第二の実施の形態について説明する。なお、第一の実施の形態と同一の構成部分には第一の実施の形態と同一の符号を付し、その説明は省略する。
【００５９】
第二の実施の形態では、図１４、図１５及び図１６に示すように、制御部１５０は、信号生成部１５１により極性反転信号Ｐｏｌに対して１／２フレーム（１サブフレーム）分先行する極性反転信号Ｐｏｌａを生成し、この極性反転信号Ｐｏｌａを極性反転信号Ｐｏｌの代わりに共通電圧発生回路１４０へ出力する。そして、共通電圧発生回路１４０は極性反転信号Ｐｏｌａに応じて、電源調整回路１６０によって調整された共通信号電圧ＶｃｏｍＨ、ＶｃｏｍＬの何れか一方を選択し、矩形波としての共通信号Ｖｃを表示画素の共通電極に供給する。
【００６０】
また、制御部１５０は、各フレームにおいて、走査期間Ｓｔの後に非走査期間Ｎｔが得られるように各制御信号の出力タイミングが設定されている。つまり、例えば入力されてくる映像信号ＶＤにおける１フレームが１６ｍｓのときには、当該フレームの最初の８ｍｓが走査期間Ｓｔになるように、そして、次の８ｍｓが非走査期間Ｎｔになるように、信号生成部１５１により走査許容信号Ａｓ及び走査禁止信号Ｐｓを生成して出力する。
【００６１】
そして、演算部１５３は、例えば図２（ａ）に示すようなラスター画面上で画面の中央よりも上部に情報を表示するような際には、走査期間Ｓｔに信号ドライバ１３０がデータラインＳ（ｉ）に供給することとなる一連の表示信号電圧Ｄｓ（ｉ，ｊ，Ｓｔ）の変遷の振幅形状に対して、非走査期間Ｎｔに信号ドライバ１３０がデータラインＳ（ｉ）に供給することとなる一連の表示信号電圧Ｄｓ（ｉ，ｊ，Ｎｔ）の変遷の振幅形状が反転するように、補完電圧値としての表示信号電圧Ｄｓ（ｉ，ｊ，Ｎｔ）を導出する。また、例えば図２（ｂ）に示すようなラスター画面上で画面の中央よりも下部に情報を表示するような際には、走査期間Ｓｔに信号ドライバ１３０がデータラインＳ（ｉ）に供給することとなる一連の表示信号電圧Ｄｓ（ｉ，ｊ，Ｓｔ）の変遷の振幅形状と、非走査期間Ｎｔに信号ドライバ１３０がデータラインＳ（ｉ）に供給することとなる一連の表示信号電圧Ｄｓ（ｉ，ｊ，Ｎｔ）の変遷の振幅形状とが一致するように、補完電圧値としての表示信号電圧Ｄｓ（ｉ，ｊ，Ｎｔ）を導出する。
【００６２】
つまり、第二の実施の形態においては、フレーム毎に、各ゲートラインＧ（ｊ）の走査を実行する走査期間Ｓｔと各ゲートラインＧ（ｊ）の走査を停止する非走査期間Ｎｔを設定する。そして、図２（ｂ）に示すようなラスター画面上で画面の中央よりも下部に情報を表示するような場合は、走査期間ＳｔにデータラインＳ（ｉ）へ供給される一連の表示信号電圧の振幅形状に対して非走査期間ＮｔにデータラインＳ（ｉ）へ供給される一連の表示信号電圧の振幅形状が反転した形状となるように、非走査期間ＮｔにデータラインＳ（ｉ）へ表示信号電圧を供給している。また、図２（ａ）に示すようなラスター画面上で画面の中央よりも上部に情報を表示するような場合は、走査期間ＳｔにデータラインＳ（ｉ）へ供給される一連の表示信号電圧の振幅形状に対して非走査期間ＮｔにデータラインＳ（ｉ）へ供給される一連の表示信号電圧の振幅形状が等しい形状となるように、非走査期間ＮｔにデータラインＳ（ｉ）へ表示信号電圧を供給している。
【００６３】
図１７及び図１８は、上述したように当該表示部１７を駆動制御した場合の各表示画素に対応する液晶層に印加される電圧Ｖｌｃｄの時系列変化である。なお、第二の実施の形態においても説明を簡単化するために、データラインＳ（ｉ）に供給される電圧の極性反転に伴うＶｌｃｄの変動、及び、ゲートラインＧ（ｊ）と画素電極Ｐ（ｉ、ｊ）との間に発生する寄生容量に伴うＶｌｃｄの変動は省略している。また、対向電極の電位を基準に規格化してＶｌｃｄを示す。
【００６４】
図１７は、図２（ｂ）に示すようなラスター画面上で画面の中央よりも下部に情報を表示する場合に対応させて、図１５に示したように走査期間Ｓｔにおける表示信号電圧Ｄｓ（ｉ，ｊ，Ｓｔ）の変遷とその後の非走査期間Ｎｔにおける表示信号電圧Ｄｓ（ｉ，ｊ，Ｎｔ）の変遷とを互いの開始タイミングが一致するようにしてそれぞれを加えたときに、最大の階調レベルに対応する表示信号電圧ｘ［Ｖ］または−ｘ［Ｖ］で平準となるように表示信号電圧をデータラインＳ（ｉ）へ供給したときのＶｌｃｄの時系列変化である。ここでは、前段側から２段目のゲートラインＧ（２）と接続される画素電極Ｐ（ｉ，１）に対応するＶｌｃｄの時系列変化を一例として示しているが、各ゲートラインＧ（１），Ｇ（３），Ｇ（４），Ｇ（５），Ｇ（６）のそれぞれと接続される画素電極Ｐ（ｉ，１），Ｐ（ｉ，３），Ｐ（ｉ，４），Ｐ（ｉ，５），Ｐ（ｉ，６）に対応するＶｌｃｄも同様である。
【００６５】
図１７に示されるように、各フレームでは、データラインＳ（ｉ）に供給される電圧が当該表示画素に書き込まれた電圧から変動するのに伴って生じるＶｌｃｄの変動を、非走査期間Ｎｔと走査期間Ｓｔとの間で相殺することが可能になっている。即ち、走査期間Ｓｔにおいて発生するＶｌｃｄの変動“＋ΔＶ”を非走査期間Ｎｔにおいて発生するＶｌｃｄの変動“−ΔＶ”によって相殺している。このため、例えば電圧印加時に白を表示し電圧無印加時に黒を表示するノーマリブラックモードにおいては、走査期間Ｓｔで図１２（ａ）に示すように画面全体に表示される比較的黒い縦スジと、その後の非走査期間Ｎｔで図１２（ｂ）に示すように画面全体に表示される比較的白い縦スジとにより、表示輝度が時間的に平均化され、縦スジを視認されにくくすることが可能になる。つまり、縦スジとしての、データラインＳ（ｉ）に沿った方向のクロストークを、視認されにくくすることが可能になる。
【００６６】
一方、図１８は、図２（ａ）に示すようなラスター画面上で画面の中央よりも上部に情報を表示する場合に対応させて、図１６に示したように走査期間Ｓｔにおける表示信号電圧Ｄｓ（ｉ，ｊ，Ｓｔ）の変遷とその後の非走査期間Ｎｔにおける表示信号電圧Ｄｓ（ｉ，ｊ，Ｎｔ）の変遷とが一致するように表示信号電圧をデータラインＳ（ｉ）に供給したときのＶｌｃｄの時系列変化である。ここでは、後段側から２段目（前段側から７段目）のゲートラインＧ（７）と接続される画素電極Ｐ（ｉ，７）に対応するＶｌｃｄの時系列変化を一例として示しているが、各ゲートラインＧ（３），Ｇ（４），Ｇ（５），Ｇ（６），Ｇ（８）のそれぞれと接続される画素電極Ｐ（ｉ，３），Ｐ（ｉ，４），Ｐ（ｉ，５），Ｐ（ｉ，６），Ｐ（ｉ，８）に対応するＶｌｃｄも同様である。
【００６７】
図１８に示されるように、各フレームでは、データラインＳ（ｉ）に供給される電圧が当該表示画素に書き込まれた電圧から変動するのに伴って生じるＶｌｃｄの変動を、非走査期間Ｎｔと走査期間Ｓｔとの間で相殺することが可能となっている。即ち、走査期間Ｓｔにおいて発生するＶｌｃｄの変動“−ΔＶ”を非走査期間Ｎｔにおいて発生するＶｌｃｄの変動“＋ΔＶ”によって相殺することが可能となっている。このため、例えば電圧印加時に白を表示し電圧無印加時に黒を表示するノーマリブラックモードにおいては、走査期間Ｓｔで図１３（ａ）に示すように画面全体に表示される比較的白い縦スジと、その後の非走査期間Ｎｔで図１３（ｂ）に示すように画面全体に表示される比較的黒い縦スジとにより、表示輝度が時間的に平均化され、縦スジを視認されにくくすることが可能になる。つまり、縦スジとしての、データラインＳ（ｉ）に沿った方向のクロストークを、視認されにくくすることが可能になる。
【００６８】
また、第二の実施の形態においても第一の実施の形態と同様に、追加すべき表示信号電圧を（数１）や（数２）で示したような簡単な演算式で導出すればよいので、演算のための負荷を軽減させながらも、フレーム反転駆動においてデータラインに沿った方向のクロストークが視認され難い表示を行うことができる。
【００６９】
なお、上述の各実施の形態においては、非走査期間ＮｔにデータラインＳ（ｉ）へ供給される一連の表示信号電圧の振幅形状が、走査期間ＳｔにデータラインＳ（ｉ）へ供給される一連の表示信号電圧の振幅形状に対して、反転した振幅形状にするのか或いは等しい振幅形状にするのかを、表示すべき映像に応じて選択する構成について説明したが、表示すべき映像にかかわらず、何れか一方のみを選択する構成としてもよい。
【００７０】
また、上述の各実施の形態では、本発明のアクティブマトリクス型液晶表示装置をデジタルカメラに適用した場合について説明したが、これに限定するものではなく、携帯電話などの他の携帯端末機器や、表示部を必要とする種々の電子機器に適用可能である。
【図面の簡単な説明】
【００７１】
【図１】デジタルカメラの外観構成の説明図。
【図２】情報表示画面の説明図であり、（ａ）は画面の上部に情報を表示した例、（ｂ）は画面の下部に情報を表示した例。
【図３】アクティブマトリクス型液晶表示装置の説明図
【図４】表示画素の等価回路の説明図
【図５】画面の下部に情報を表示する場合にける制御信号のタイミングチャート
【図６】補完電圧値の導出の説明図
【図７】画面の上部に情報を表示する場合にける制御信号のタイミングチャート
【図８】補完電圧値の導出の説明図
【図９】階調レベルと表示信号電圧との関係図であり、（ａ）は液晶に正極の電圧を印加する場合、（ｂ）は液晶に負極の電圧を印加する場合
【図１０】画面の下部に情報を表示する場合に、情報が表示される表示画素よりも上部の表示画素の液晶に印加される電圧のタイミングチャート
【図１１】画面の上部に情報を表示する場合に、情報が表示される表示画素よりも下部の表示画素の液晶に印加される電圧のタイミングチャート
【図１２】画面の下部に情報を表示する場合のサブフレーム毎における表示例であり、（ａ）は走査期間での表示例、（ｂ）は非走査期間での表示例
【図１３】画面の上部に情報を表示する場合のサブフレーム毎における表示例であり、（ａ）は走査期間での表示例、（ｂ）は非走査期間での表示例
【図１４】アクティブマトリクス型液晶表示装置の説明図
【図１５】画面の下部に情報を表示する場合にける制御信号のタイミングチャート
【図１６】画面の上部に情報を表示する場合にける制御信号のタイミングチャート
【図１７】画面の下部に情報を表示する場合に、情報が表示される表示画素よりも上部の表示画素の液晶に印加される電圧のタイミングチャート
【図１８】画面の上部に情報を表示する場合に、情報が表示される表示画素よりも下部の表示画素の液晶に印加される電圧のタイミングチャート
【図１９】フレーム反転駆動の説明図
【図２０】クロストークの説明図であり、（ａ）は表示すべき映像、（ｂ）は表示すべき映像と発生すクロストークとの関係
【図２１】より具体的なクロストークの説明図であり、（ａ）は画面の上部に情報を表示した場合のクロストーク、（ｂ）は画面の下部に情報を表示した場合のクロストーク
【符号の説明】
【００７２】
１：デジタルカメラ
１７：表示部（アクティブマトリクス型液晶表示装置）
１１０：表示パネル
１２０：走査ドライバ
１３０：信号ドライバ
１４０：共通電圧発生回路
１５０：制御部
１５１：信号生成部
１５２：映像メモリ
１５３：演算部
Ｓｔ：走査期間
Ｎｔ：非走査期間
【図１】
0005292839.tif 000002
【図３】
0005292839.tif 000003
【図４】
0005292839.tif 000004
【図５】
0005292839.tif 000005
【図６】
0005292839.tif 000006
【図７】
0005292839.tif 000007
【図８】
0005292839.tif 000008
【図９】
0005292839.tif 000009
【図１０】
0005292839.tif 000010
【図１１】
0005292839.tif 000011
【図１４】
0005292839.tif 000012
【図１５】
0005292839.tif 000013
【図１６】
0005292839.tif 000014
【図１７】
0005292839.tif 000015
【図１８】
0005292839.tif 000016
【図１９】
0005292839.tif 000017
【図２】
0005292839.tif 000018
【図１２】
0005292839.tif 000019
【図１３】
0005292839.tif 000020
【図２０】
0005292839.tif 000021
【図２１】
0005292839.tif 000022